【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
サービングネットワークとデフォルトネットワークとを備えた複数の無線ネットワーク内で使用可能なマルチモード無線通信デバイスを用いて補足サービスにアクセスする方法であって、
前記デフォルト無線ネットワークから利用可能な前記補足サービスに関連付けられたサービスコードのマスターセットを提供することであって、少なくとも二つの無線ネットワークが、少なくとも一つの実質的に同じ補足サービスに関連付けられた異なるネットワーク特有のサービスコードを持っていることと、
少なくとも一つのサービスコードに関連付けられた前記少なくとも一つの補足サービスに対する要求を受け取ることと、
前記サービングネットワークが前記デフォルトネットワークであるかを判定することと、
前記サービングネットワークが前記デフォルトネットワークではないのであれば、前記少なくとも一つのサービスコードを、前記サービスコードのマスターセットから、前記サービングネットワークから少なくとも一つの補足サービスへアクセスする要求に関連付けられたネットワーク特有のサービスコードへマップすることと
を含む方法。
【請求項２】
請求項１に記載の方法において、
ユーザが前記少なくとも一つの補足サービスを要求するための前記サービスコードのマスターセットに基づいて、メニューオプションを表示するユーザインタフェースを提供することを更に含む方法。
【請求項３】
請求項１に記載の方法において、
前記複数の無線ネットワークのうちの一つから前記マルチモード無線デバイスへと、前記要求された少なくとも一つの補足サービスを提供するために、前記ネットワーク特有のサービスコードに関連したマンマシンインタフェース（ＭＭＩ）手順を呼び出すことを更に含む方法。
【請求項４】
請求項１に記載の方法において、
前記複数の無線ネットワークのうちの別の無線ネットワークは、時分割多元接続（ＴＤＭＡ）通信を用いる方法。
【請求項５】
請求項１に記載の方法において、
前記複数の無線ネットワークのうちの別の無線ネットワークは、グローバル・システム・フォー・モバイル・コミュニケーション（ＧＳＭ）を用いる方法。
【請求項６】
請求項１に記載の方法において、
前記複数の無線ネットワークのうちの別の無線ネットワークは、ジェネラル・パケット・ラジオ・サービス（ＧＰＲＳ）を用いる方法。
【請求項７】
請求項１に記載の方法において、
前記複数の無線ネットワークのうちの別の無線ネットワークは、ユニバーサル・モバイル・テレコミュニケーション・システム（ＵＭＴＳ）通信を用いる方法。
【請求項８】
請求項１に記載の方法において、
前記補足サービスは、呼出転送、呼出待ち受け、及び呼出禁止のうちの少なくとも二つを含む方法。
【請求項９】
請求項１に記載の方法において、
少なくとも一つの補足サービスにアクセスする前記要求は、補足サービスを動作させること、非動作にすること、問い合わせること、登録すること、及び削除することのうちの少なくとも一つを含む方法。
【請求項１０】
請求項１に記載の方法において、サービスコードの前記マスターセットは、ＧＳＭ／ＵＭＴＳのためのサービスコードを含み、前記ネットワーク特有のサービスコードは、ＣＤＭＡ／ＴＤＭＡのための携帯特性コードを含み、マップすることは、
前記少なくとも一つのサービスコードを、ＧＳＭ／ＵＭＴＳサービスから、ＣＤＭＡ／ＴＤＭＡサービスコードへマップすることを含み、
前記ＣＤＭＡ／ＴＤＭＡサービスコードは、ＣＤＭＡ／ＴＤＭＡ無線ネットワークのうちの一つから、少なくとも一つの補足サービスへアクセスする要求に関連付けられている方法。
【請求項１１】
請求項１に記載の方法において、提供することは、
前記デフォルト無線ネットワークから利用可能な前記補足サービスに関連付けられたサービスコードのマスターセットを含むメニューを提供することを含み、
少なくとも二つの無線ネットワークが、少なくとも一つの実質的に同じ補足サービスに関連付けられた別のネットワーク特有のサービスコードを持つ方法。
【請求項１２】
サービングネットワークとデフォルトネットワークとを備えた複数の無線ネットワーク内で使用可能であり、補足サービスにアクセスするように構成されたマルチモード無線通信デバイスであって、
サービスコードのマスターセットを格納するように構成されたコンピュータ読取可能媒体であって、前記サービスコードのマスターセットは、前記複数モード無線通信デバイスと互換性のある前記複数の無線ネットワークによって提供された補足サービスに関連付けられているコンピュータ読取可能媒体と、
少なくとも一つのサービスコードに関連付けられた前記少なくとも一つの補足サービスに対するユーザ要求を受け取るように構成されたユーザインタフェースであって、前記ユーザ要求は、前記サービスコードのマスターセットに基づいているユーザインタフェースと、
前記サービングネットワークが前記デフォルトネットワークであるかを判定するように構成された制御プロセッサとを備え、
前記サービングネットワークが前記デフォルトネットワークではないのであれば、前記制御プロセッサは、前記少なくとも一つのサービスコードを、前記サービスコードのマスターセットから、前記サービングネットワークの少なくとも一つの補足サービスへアクセスする要求に関連付けられた対応する少なくとも一つのネットワーク特有のサービスコードへマップするデバイス。
【請求項１３】
請求項１２に記載のデバイスにおいて、
前記ユーザインタフェースは、更に、前記サービスコードのマスターセットに基づいて、メニューオプションを表示するように構成されたデバイス。
【請求項１４】
請求項１２に記載のデバイスにおいて、
前記複数の無線ネットワークのうちの一つへ前記少なくとも一つのネットワーク特有のサービスコードへ送るための、少なくとも一つのネットワーク特有のサービスコードに関連したマンマシンインタフェース（ＭＭＩ）手順を呼び出す手段を更に備えたデバイス。
【請求項１５】
請求項１２に記載のデバイスにおいて、
前記複数の無線ネットワークのうちの別の無線ネットワークは、時分割多元接続（ＴＤＭＡ）通信を用いるデバイス。
【請求項１６】
請求項１２に記載のデバイスにおいて、
前記複数の無線ネットワークのうちの別の無線ネットワークは、グローバル・システム・フォー・モバイル・コミュニケーション（ＧＳＭ）を用いるデバイス。
【請求項１７】
請求項１２に記載のデバイスにおいて、
前記複数の無線ネットワークのうちの別の無線ネットワークは、ジェネラル・パケット・ラジオ・サービス（ＧＰＲＳ）を用いるデバイス。
【請求項１８】
請求項１２に記載のデバイスにおいて、
前記複数の無線ネットワークのうちの別の無線ネットワークは、ユニバーサル・モバイル・テレコミュニケーション・システム（ＵＭＴＳ）通信を用いるデバイス。
【請求項１９】
請求項１２に記載のデバイスにおいて、
前記補足サービスは、呼出転送、呼出待ち受け、及び呼出禁止のうちの少なくとも二つを含むデバイス。
【請求項２０】
請求項１２に記載のデバイスにおいて、
少なくとも一つの補足サービスにアクセスする前記要求は、補足サービスを動作させること、非動作にすること、問い合わせること、登録すること、及び削除することのうちの少なくとも一つを含むデバイス。
【請求項２１】
請求項１２に記載のデバイスにおいて、
サービスコードの前記マスターセットは、ＧＳＭ／ＵＭＴＳのためのサービスコードを含み、前記ネットワーク特有のサービスコードは、ＣＤＭＡ／ＴＤＭＡのための携帯特性コードを含み、前記制御プロセッサは、前記少なくとも一つのサービスコードを、ＧＳＭ／ＵＭＴＳサービスから、ＣＤＭＡ／ＴＤＭＡサービスコードへマップし、前記ＣＤＭＡ／ＴＤＭＡサービスコードは、ＣＤＭＡ／ＴＤＭＡ無線ネットワークのうちの一つから、少なくとも一つの補足サービスへアクセスする要求に関連付けられているデバイス。
【請求項２２】
請求項１２に記載のデバイスにおいて、
前記コンピュータ読取可能媒体は、前記デフォルト無線ネットワークから利用可能な前記補足サービスに関連付けられたサービスコードのマスターセットを含むメニューを格納するように構成され、
前記メニューを表示するグラフィックユーザインタフェースを更に備えたデバイス。
【請求項２３】
サービングネットワークとデフォルトネットワークとを備えた複数の無線ネットワーク内で使用可能なマルチモード無線通信デバイスであって、
前記複数の無線ネットワークから利用可能な補足サービスに関連付けられたサービスコードのマスターセットを提供する手段であって、少なくとも二つの無線ネットワークが、少なくとも一つの実質的に同じ補足サービスに関連付けられた異なるネットワーク特有のサービスコードを持っている手段と、
少なくとも一つのサービスコードに関連付けられた前記少なくとも一つの補足サービスに対する要求を受け取る手段と、
前記サービングネットワークが前記デフォルトネットワークであるかを判定する手段と、
前記サービングネットワークが前記デフォルトネットワークではないのであれば、前記少なくとも一つのサービスコードを、サービスコードの前記マスターセットから、前記サービングネットワークから少なくとも一つの補足サービスへアクセスする要求に関連付けられたネットワーク特有のサービスコードへマップする手段と
を備えたデバイス。
【請求項２４】
請求項２３に記載のデバイスにおいて、
ユーザが前記少なくとも一つの補足サービスを要求するためのサービスコードの前記マスターセットに基づいて、メニューオプションを表示するユーザインタフェース手段を更に備えたデバイス。
【請求項２５】
請求項２３に記載のデバイスにおいて、
前記複数の無線ネットワークのうちの一つから前記マルチモード無線デバイスへと、前記要求された少なくとも一つの補足サービスを提供するために、前記ネットワーク特有のサービスコードに関連したマンマシンインタフェース（ＭＭＩ）手順を呼び出す手段を更に備えたデバイス。
【請求項２６】
無線通信デバイスにおいて使用される方法であって、
現在のネットワークとデフォルトネットワークとを含む複数のネットワークにおいて使用可能なサービスコードのマスターセットを定義することと、
前記サービスコードのマスターセットのうちの少なくとも一つのサービスコードに関連付けられている少なくとも一つの特性にアクセスする要求に応じて、前記現在のネットワークが、前記デフォルトネットワークであるかを判定することであって、前記少なくとも一つの特性は、動作中に、前記無線通信デバイスにアクセス可能な少なくとも一つの補足サービスを含んでいることと、
前記現在のネットワークが前記デフォルトネットワークではないのであれば、前記少なくとも一つのサービスコードを、前記現在のネットワーク内の前記少なくとも一つの特性に関連付けられた前記ネットワーク特有のサービスコードのうちの一つにマップすることと
を含む方法。
【請求項２７】
請求項２６に記載の方法において、
サービスコードの前記マスターセットは、前記複数のネットワークから利用可能な第一の特性のセット及び第二の特性のセットにアクセスするサービスコードを含む方法。
【請求項２８】
請求項２７に記載の方法において、
前記サービスコードのマスターセットは、前記第一の特性のセットに関連付けられた第一のネットワーク特有のサービスコードのセットと、前記第ニの特性のセットに関連付けられた第ニのネットワーク特有のサービスコードのセットとを含み、前記第一の特性のセットのうちの一つに関連付けられた第一のネットワーク特有のサービスコードは、前記第一の特性のセットのうちの一つと実質的に同じ第二の特性のセットのうちの一つに関連付けられた第二のネットワーク特有のサービスコードと異なる方法。
【請求項２９】
請求項２６に記載の方法において、
ユーザが、前記少なくとも一つの特性に要求するサービスコードの前記マスターセットに基づいて、メニューオプションを表示することを更に含む方法。
【請求項３０】
請求項２６に記載の方法において、
前記複数の無線ネットワークのうちの一つからマルチモード無線通信デバイスへと、前記要求された少なくとも一つの特性を提供するために、前記ネットワーク特有のサービスコードに関連したマンマシンインタフェース（ＭＭＩ）手順を呼び出すことを更に含む方法。
【請求項３１】
請求項２６に記載の方法において、
前記複数の無線ネットワークのうちの別の無線ネットワークは、時分割多元接続（ＴＤＭＡ）通信を用いる方法。
【請求項３２】
請求項２６に記載の方法において、
前記複数の無線ネットワークのうちの別の無線ネットワークは、グローバル・システム・フォー・モバイル・コミュニケーション（ＧＳＭ）を用いる方法。
【請求項３３】
請求項２６に記載の方法において、
前記複数の無線ネットワークのうちの別の無線ネットワークは、ジェネラル・パケット・ラジオ・サービス（ＧＰＲＳ）を用いる方法。
【請求項３４】
請求項２６に記載の方法において、
前記複数の無線ネットワークのうちの別の無線ネットワークは、ユニバーサル・モバイル・テレコミュニケーション・システム（ＵＭＴＳ）通信を用いる方法。
【請求項３５】
請求項２６に記載の方法において、サービスコードの前記マスターセットは、ＧＳＭ／ＵＭＴＳのためのサービスコードを含み、前記ネットワーク特有のサービスコードは、ＣＤＭＡ／ＴＤＭＡのための携帯特性コードを含み、前記マップすることは、
前記少なくとも一つのサービスコードを、ＧＳＭ／ＵＭＴＳサービスから、ＣＤＭＡ／ＴＤＭＡサービスコードへマップし、
前記ＣＤＭＡ／ＴＤＭＡサービスコードは、ＣＤＭＡ／ＴＤＭＡ無線ネットワークのうちの一つから、少なくとも一つの特性へアクセスする要求に関連付けられている方法。
【請求項３６】
請求項２６に記載の方法において、提供することは、
前記デフォルト無線ネットワークから利用可能な前記特性に関連付けられたサービスコードのマスターセットを提供することを含み、
少なくとも二つの無線ネットワークが、少なくとも一つの実質的に同じ特性に関連付けられた別のネットワーク特有のサービスコードを持つ方法。
【請求項３７】
マルチモード無線通信デバイスであって、
現在のネットワークとデフォルトネットワークとを含む複数のネットワークにおいて使用可能なサービスコードのマスターセットを格納するように構成されたコンピュータ読取可能媒体と、
前記サービスコードのマスターセットのうちの少なくとも一つのサービスコードに関連付けられた少なくとも一つの特性にアクセスする要求に応じて、前記現在のネットワークが、前記デフォルトネットワークであるかを判定するように構成された制御プロセッサであって、前記少なくとも一つの特性は、動作中に、前記無線通信デバイスにアクセス可能な少なくとも一つの補足サービスを含んでいる制御プロセッサとを備え、
前記現在のネットワークが前記デフォルトネットワークではないのであれば、前記制御プロセッサは、前記少なくとも一つのサービスコードを、前記現在のネットワーク内の前記少なくとも一つの特性に関連付けられた前記ネットワーク特有のサービスコードのうちの一つにマップするデバイス。
【請求項３８】
請求項３７に記載のデバイスにおいて、
サービスコードの前記マスターセットは、前記複数のネットワークから利用可能な第一の特性のセット及び第二の特性のセットにアクセスするサービスコードを含むデバイス。
【請求項３９】
請求項３８に記載のデバイスにおいて、
前記サービスコードのマスターセットは、前記第一の特性のセットに関連付けられた第一のネットワーク特有のサービスコードのセットと、前記第ニの特性のセットに関連付けられた第ニのネットワーク特有のサービスコードのセットとを含み、前記第一の特性のセットのうちの一つに関連付けられた第一のネットワーク特有のサービスコードは、前記第一の特性のセットのうちの一つと実質的に同じ第二の特性のセットのうちの一つに関連付けられた第二のネットワーク特有のサービスコードと異なるデバイス。
【請求項４０】
請求項３７に記載のデバイスにおいて、
前記ユーザインタフェースは、更に、前記サービスコードのマスターセットに基づいて、メニューオプションを表示するように構成されたデバイス。
【請求項４１】
請求項３７に記載のデバイスにおいて、
前記少なくとも一つのネットワーク特有のサービスコードを、前記複数のネットワークのうちの一つへ送るために、前記少なくとも一つのネットワーク特有のサービスコードに関連するマンマシンインタフェース（ＭＭＩ）手順を呼び出す手段を更に備えたデバイス。
【請求項４２】
請求項３７に記載のデバイスにおいて、
前記複数の無線ネットワークのうちの別の無線ネットワークは、時分割多元接続（ＴＤＭＡ）通信を用いるデバイス。
【請求項４３】
請求項３７に記載のデバイスにおいて、
前記複数の無線ネットワークのうちの別の無線ネットワークは、グローバル・システム・フォー・モバイル・コミュニケーション（ＧＳＭ）を用いるデバイス。
【請求項４４】
請求項３７に記載のデバイスにおいて、
前記複数の無線ネットワークのうちの別の無線ネットワークは、ジェネラル・パケット・ラジオ・サービス（ＧＰＲＳ）を用いるデバイス。
【請求項４５】
請求項３７に記載の方法において、
前記複数の無線ネットワークのうちの別の無線ネットワークは、ユニバーサル・モバイル・テレコミュニケーション・システム（ＵＭＴＳ）通信を用いるデバイス。
【請求項４６】
請求項３７に記載のデバイスにおいて、
サービスコードの前記マスターセットは、ＧＳＭ／ＵＭＴＳのためのサービスコードを含み、前記ネットワーク特有のサービスコードは、ＣＤＭＡ／ＴＤＭＡのための携帯特性コードを含み、前記制御プロセッサは、前記少なくとも一つのサービスコードを、ＧＳＭ／ＵＭＴＳサービスから、ＣＤＭＡ／ＴＤＭＡサービスコードへマップし、前記ＣＤＭＡ／ＴＤＭＡサービスコードは、ＣＤＭＡ／ＴＤＭＡ無線ネットワークのうちの一つから、少なくとも一つの特性へアクセスする要求に関連付けられているデバイス。
【請求項４７】
請求項３７に記載のデバイスにおいて、前記コンピュータ読取可能媒体は、前記デフォルト無線ネットワークから利用可能な前記特性に関連付けられたサービスコードのマスターセットを含むメニューを格納するように構成され、
前記メニューを表示するグラフィックユーザインタフェースを更に備えたデバイス。
【請求項４８】
マルチモード無線通信デバイスであって、
現在のネットワークとデフォルトネットワークとを含む複数のネットワークにおいて使用可能なサービスコードのマスターセットを定義する手段と、
前記サービスコードのマスターセットのうちの少なくとも一つのサービスコードに関連付けられている少なくとも一つの特性にアクセスする要求に応じて、前記現在のネットワークが、前記デフォルトネットワークであるかを判定する手段であって、前記少なくとも一つの特性は、動作中に、前記無線通信デバイスにアクセス可能な少なくとも一つの補足サービスを含んでいる手段と、
前記現在のネットワークが前記デフォルトネットワークではないのであれば、前記少なくとも一つのサービスコードを、前記現在のネットワーク内の前記少なくとも一つの特性に関連付けられた前記ネットワーク特有のサービスコードのうちの一つにマップする手段と
を備えたデバイス。
【請求項４９】
請求項４８に記載のデバイスにおいて、
サービスコードの前記マスターセットは、前記複数のネットワークから利用可能な第一の特性のセット及び第二の特性のセットにアクセスするサービスコードを含むデバイス。
【請求項５０】
請求項４９に記載のデバイスにおいて、
前記サービスコードのマスターセットは、前記第一の特性のセットに関連付けられた第一のネットワーク特有のサービスコードのセットと、前記第ニの特性のセットに関連付けられた第ニのネットワーク特有のサービスコードのセットとを含み、前記第一の特性のセットのうちの一つに関連付けられた第一のネットワーク特有のサービスコードは、前記第一の特性のセットのうちの一つと実質的に同じ第二の特性のセットのうちの一つに関連付けられた第二のネットワーク特有のサービスコードと異なるデバイス。
【請求項５１】
請求項４８に記載のデバイスにおいて、
ユーザが前記少なくとも一つの特性に要求するサービスコードの前記マスターセットに基づいて、メニューオプションを表示するユーザインタフェース手段を更に備えたデバイス。
【請求項５２】
請求項４８に記載のデバイスにおいて、
前記複数の無線ネットワークのうちの一つから前記マルチモード無線通信デバイスへと、前記要求された少なくとも一つの特性を提供するために、前記ネットワーク特有のサービスコードに関連したマンマシンインタフェース（ＭＭＩ）手順を呼び出す手段を更に備えたデバイス。
【手続補正２】
【補正対象書類名】図面
【補正対象項目名】全図
【補正方法】変更
【補正の内容】
【図１】
2005528061.tif 000001
【図２】
2005528061.tif 000002
【図３】
2005528061.tif 000003
【図４】
2005528061.tif 000004